(57)【要約】  本発明は、開口ないし穴を有するシート状材料にファスナーを取付けるために使用されるファスナー取付けクリップに関する。このファスナー取付けクリップは、薄いバネ鋼などの単一の金属シート材料より形成されるのが望ましい。この取付けクリップは、直線状ないし矩形状の平坦面を有し、この平坦面に、相互に対向する保持アームが設けられ、これらアームは平坦面より下方に鈍角をもって延出ないし垂下している。これら保持アームは弾性的に変形可能であり、該クリップをシート状材料の開口ないし穴に挿入する間に圧縮及び拡張の変形動作をなす。クリップが該開口ないし穴内に十分に挿入されると、保持アームの上端がシート状材料に当接する。平坦面には支持タブが設けられ、該支持タブは平坦面をシート状材料の面内に保つように働く。又、平坦面には、そこにファスナーを受入れて保持するくぼみ状の穴が設けられている。【選択図】  図１
2008542645.tif 000002
【特許請求の範囲】
【請求項１】
シート状材料の上面と下面との間に延出する開口内にファスナーを固定するファスナー取付けクリップであって、前記開口が対向する複数のエッジにより区画されてなるものにおいて、該クリップは、
該ファスナーを受入れるネジ穴を有するベース部と、
前記シート状材料の上端面と係合するように該ベース部から延出した対向する一対のタブと、
前記ベース部から垂下した少なくとも１つの保持アームと、
を具備し、
前記保持アームは、前記開口内へのクリップの挿入を許容するとともに挿入された該クリップが前記エッジの1つに沿ってシート状材料の下面と係合するように弾性変形可能な外側保持パネルと、内側保持パネルとを有し、これら外側及び内側保持パネルの一方のパネルが横方向に沿う支持面を有するとともに他方のパネルが抜出しに抗するように該横方向に沿う支持面と係合するように重なり合うタブを有してなる、
ファスナー取付けクリップ。
【請求項２】
保持アームを複数備えてなる請求項１に記載のファスナー取付けクリップ。
【請求項３】
シート状材料は単一の部片から形成されてなる請求項１に記載のファスナー取付けクリップ。
【請求項４】
前記開口は直線状である請求項１に記載のファスナー取付けクリップ。
【請求項５】
前記保持アームは略Ｕ字形をなしてなる請求項１に記載のファスナー取付けクリップ。
【請求項６】
各保持アーム上に配置された複数の保持タブを具備してなる請求項１に記載のファスナー取付けクリップ。
【請求項７】
各保持アームは、そのおおむね上端及びその対向する横方向エッジのところに配置された一対の保持タブを有してなる請求項６に記載のファスナー取付けクリップ。
【請求項８】
シート状材料に対する前記外側保持パネルの傾斜を防止するために、前記開口の縦方向エッジに係合するように、上方向に延出した面を備えた少なくとも１つの保持タブを有してなる請求項１に記載のファスナー取付けクリップ。
【請求項９】
前記外側保持パネルは、その上側エッジのところに係合面を有してなる請求項１に記載のファスナー取付けクリップ。
【請求項１０】
前記横方向支持面は、前記内側保持パネル上に位置してなる請求項１に記載のファスナー取付けクリップ。
【請求項１１】
シート状材料の開口内において該シート状材料の上面と下面との間に延出するファスナーを固定するファスナー取付けクリップであって、前記開口が対向する複数のエッジにより区画されてなるものにおいて、該クリップは、
該ファスナーを受けるネジ穴を有するベース部と、
前記シート状材料の上端面と係合するように該ベース部から延出した対向する一対のタブと、
前記ベース部から垂下した少なくとも１つの保持アームと、
を具備し、
前記保持アームは、前記開口内へのクリップの挿入を許容するとともに挿入された該クリップが前記エッジの1つに沿ってシート状材料の下面と係合するように弾性変形可能な保持パネルを有し、該保持パネルは、シート状材料に対する該保持パネルの傾斜を防止するために、前記開口の縦方向エッジに係合するように上方向に延出した面を備えた少なくとも１つの保持タブを有してなるファスナー取付けクリップ。
【請求項１２】
保持アームを複数備えてなる請求項１１に記載のファスナー取付けクリップ。
【請求項１３】
シート状材料は単一の部片から形成されてなる請求項１１に記載のファスナー取付けクリップ。
【請求項１４】
前記保持アームは略Ｕ字形をなしてなる請求項１１に記載のファスナー取付けクリップ。
【請求項１５】
各保持アーム上に配置された複数の保持タブを具備してなる請求項１１に記載のファスナー取付けクリップ。
【請求項１６】
各保持アームは、そのおおむね上端及びその対向する横方向エッジのところに配置された一対の保持タブを有してなる請求項１５に記載のファスナー取付けクリップ。
【請求項１７】
前記保持アームは、垂下したパネルと、それから上方向に延出した係合パネルとを有してなる請求項１１に記載のファスナー取付けクリップ。
【請求項１８】
前記垂下したパネル及び係合パネルの一方のパネルは横方向に沿う支持面を有し、他方のパネルは抜出しに抗するように該横方向に沿う支持面と係合するように重なり合うタブを有してなる請求項１７に記載のファスナー・アセンブリ。
【請求項１９】
前記保持タブの上方向に延出した面は、前記保持アームの係合パネルの上方に位置してなる請求項１１に記載のファスナー・クリップ。
【請求項２０】
ファスナーを受けるネジ部を有する略平坦なベース部と、
該ベース部から垂下した略Ｕ字形の一対の対向する保持アームと、
を具備し、前記一対の保持アームは互いに向き合う方向に弾性的に圧縮可能であり、これら保持アームは上方向に延出した平坦な係合部を有し、該平坦な係合部は複数の横方向エッジと、これら各横方向エッジから垂下した保持タブをそれぞれ有し、これら保持タブは互いに向き合う方向に弾性的に圧縮可能であるとともに前記平坦な係合部の上方の面内におおむね配置された係合部を有してなる、ファスナー・クリップ。
【発明の詳細な説明】
【技術分野】
【０００１】
本発明は、シート状金属部材にファスナーを固定するクリップの取付けに係り、特に、シート状金属材料に形成された開口ないし穴内に挿入可能なファスナー取付けクリップに関する。
【背景技術】
【０００２】
自動車産業や家庭用機器製造業において、シート状金属ボディにトリム作業等のための部材を固定するために、シート状金属ナットあるいは取付けクリップが用いられる。多くの慣用のシート状金属ナットは、穴を有するシート状材料のワークピースのエッジ上に該ワークピースとシート状金属ナットの穴とが合致するまで押し込まれるように構成されている。
【発明の開示】
【発明が解決しようとする課題】
【０００３】
しかしながら、多くの自動車の製作過程においては、トリム作業等の部材は、シート状材料やワークピースのエッジにはないが、該ワークピースの他の領域、例えば中央部にある固定すべき部位や外側ボディパネルあるいは自動車の内部シャーシに対して固定されることが求められる。かかる場合において、本発明は、シート状材料に形成された開口ないし穴に受入れ可能であり、容易に挿入し得るとともに引出し力ないし抜出し力に対しては十分な抵抗力を発揮するように動作するファスナー取付けクリップを提供することを目的とする。
【課題を解決するための手段及び発明の効果】
【０００４】
本発明に係るファスナー取付けクリップは、シート状金属などのシート状材料に形成された開口ないし穴内にファスナー（締め具）を固定する。該取付けクリップは、弱い挿入力により容易に挿入し得るとともに引出し力ないしは引抜き力に対しては強い抵抗力を発揮し得るもので、外側エッジを有する平坦面とその平坦面の中央部に形成されたくぼみ状穴を有する。シート状材料に形成された開口ないし穴は慣用のファスナーをそこに受入れて保持するように動作し、これによってトリム材料等の種々の対象物をシート状材料に固定することができる。この開口ないし穴の角隅部は矩形状ないし直角状になっている。この矩形状の開口ないし穴にシート状金属部材を係合させるために、保持アームが形成されており、この角隅部の強度を引出し力に対する抵抗力として利用する。
【０００５】
平坦面の外側エッジ上には一対ないし２つのガイドアームが形成され、これらアームは対向状態で離間して配置されるとともに鈍角をもって平坦面下方に延出する。これらガイドアームはシート状材料に形成された開口ないし穴内に取付けクリップを案内するように動作する。
【０００６】
平坦面の外側エッジ上に一対ないし２つの弾性変形可能な保持アームが対向状態で形成されている。これらアームは対向状態に離間して配置されるとともに鈍角をもって平坦面下方に延出し、この鈍角は、好ましくはガイドアームがなす鈍角と等しい。該保持アームは、ファスナー取付けクリップをシート状材料の開口ないし穴に挿入した際に、圧縮及び拡張するように動作する。このファスナー取付けクリップの挿入後、拡張した保持アームの上端側部がシート状材料の面に当接するとともに引出し力に対する抵抗力を発揮する。シート状材料の開口ないし穴の角隅部は、該角隅部の間のシート状材料のエッジ部分より変形に対して、より強い抵抗力を有する。従って、該シート状材料に開口ないし穴の角隅部のところで係合することにより、該取付けクリップは、抜出しに対する、より強い抵抗力を発揮する。
【０００７】
平坦面の外側エッジから外方向に互いに反対方向に延出する少なくとも２つの支持タブが設けられ、これらのタブが２つの場合、両タブは実質的に１８０度で離間し、直径方向に対向している。これらのタブは、ファスナー取付けクリップがシート状金属部材の開口ないし穴に十分に挿入された後、保持アームと接する面に対して対向するシート状金属部材の面に対して当接するように動作する。又、タブは、取付けクリップが挿入中に開口ないし穴を通り抜けるのを阻止するともにシート状材料への取付けを安定化させるよう動作する。
【発明を実施するための最良の形態】
【０００８】
本発明は、シート状材料の上面と下面との間に延出する開口ないし穴を備えたシート状材料に対して対象物を固定させるのに用いられるファスナー（締め具）を取付けるための新規なファスナー取付けクリップを提供する。このファスナー取付けクリップは、挿入するのに弱い挿入力ですむとともに強い保持力を発揮する。従って、本発明に係るファスナー取付けクリップは開口ないし穴を有するシート状材料に対して容易に取付け得るとともに、その取付け状態を確実に維持することができる。
【０００９】
図１〜４に示すように、本発明の実施例に係るファスナー取付けクリップ１０は、例えば、ばね鋼、アルミニウム、すず又は銅などの単一の金属板より形成され、開口ないし穴（以下、開口という）に挿入し得る。
【００１０】
このファスナー取付けクリップ１０はベース部をなす平坦面１２を有し、直線状ないし矩形状の形状をなしている。しかし、この形状自体は、使用態様に応じて種々の形状が考えられるので、本発明において限定されるものではない。
【００１１】
平坦面１２の中央部には、特に、図１，４Ａに示すようにナットベース部１４が形成されており、このナットベース部１４は対応するファスナーを受入れて保持する寸法になっている。ナットベース部１４は慣用のファスナーを保持して固定するための対応係合手段、例えばネジ穴よりなる。
【００１２】
１８は少なくとも１対ないし２つの長いガイドアームで、平坦面１２の外側エッジ１６から、その下方に向かって延出ないし垂下している。各ガイドアーム１８はＵ字形の自由端２０を有し、これがファスナー取付けクリップ１０をシート状材料に形成された開口へ挿入する際の案内の役を果す。この各ガイドアーム１８の自由端２０は、Ｕ字形に代えて、Ｖ字形、截頭状のＶ字形又はその他の形状とし得、これにより該ファスナー取付けクリップ１０がシート状材料に形成された開口３２内に挿入されて設置されるに必要な挿入力を最小化する効果がある。両ガイドアーム１８は相互に１８０度対向した離間位置、すなわち直径方向に対向した位置に設けられる。この実施例のようにガイドアーム１８は一対ないし２つ設ける構成が望ましいが、本発明に係るファスナー取付けクリップ１０は、少なくとも１つのガイドアーム１８でも動作可能である。
【００１３】
２２は少なくとも一対ないし２つの保持アームで、平坦面１２の外側エッジ１６上に形成されている。これら保持アーム２２は、ガイドアーム１８と同様に平坦面１２の下方に延出ないし垂下している。これら保持アーム２２は長いループ状に形成され、その上下の端部が上端２４及び底部端２６になっている。これら保持アーム２２は、シート状材料に形成された開口３２にファスナー取付けクリップ１０を挿入した際に、弾性変形して圧縮及び拡張の動作を行い、該クリップ１０が開口３２内に十分ないし完全に挿入されると、これら保持アーム２２の上端２４がシート状材料の底面に対して当接する。この状態で保持アーム２２の各上端２４は開口３２の角隅部３６の間にある周辺エッジ３８に沿ってその下方に位置する。開口３２の角隅部３６は、それらの間の周辺エッジ部分よりも曲げに対する抵抗力が大である。従って、本発明に係るクリップ１０に対して引抜き方向の力が作用した場合、これら角隅部３６がこの引抜き力に対する強い抵抗力を発揮する。
【００１４】
図１，２に最もよく示されている通り、保持アーム２２は掛け金部４０を一体に備え、該掛け金部４０は開口４２を通るとともに横断面Ｕ字形をなす保持アーム２２の内側部４４の上端縁を越えて内方へ延出して、その先端が下方に折曲されて掛け金の機能を果す。この掛け金部４０の上方部分は外方に向かって変形可能であり、これにより該クリップ１０に作用する抜出し力に抵抗する。
【００１５】
保持アーム２２の底部端２６は、ガイドアーム１８のＵ字形自由端２０に形成された対応形状のくぼみ４６により囲まれた状態になっている。該くぼみ４６は、ファスナー取付けクリップ１０の保持アーム２２がクリップ挿入の間に底部端２６に作用する挿入力によって変形するのを防止するとともに保持アーム２２を抜出し力に抵抗するためにシート状金属材料に対してこれを支持する。なお、この実施例においては、一対ないし２つの保持アームを有する構成を開示したが、本発明に係るファスナー取付けクリップ１０は、少なくとも１つの保持アームで動作可能である。この一対ないし２つの保持アーム２２の場合、これらアーム２２は、ガイドアーム１８と同様の態様で、相互に１８０度対向した離間位置、すなわち直径方向に対向した位置に設けられるのが望ましい。
【００１６】
３０は支持タブで、平坦面１２の外側エッジ１６より外方に延出し、少なくとも一対ないし２つ設けられている。これはタブ３０は図示のように実質的に１８０度、すなわち直径方向に離間した対向状態に配置されるのが望ましい。これら支持タブ３０は、ファスナー取付けクリップ１０がシート状材料に形成された開口３２内に十分に挿入された時に該シート状材料の上面に当接するようになっている。これにより、ファスナー取付けクリップ１０は該開口３２内に確実に保持される。すなわち、ここにおいて、保持アーム２２の上端２５が開口３２に隣接した位置で該シート状材料の底面ないし下面に当接し、又、支持タブ３０がシート状材料の上面に当接する。この状態で、ファスナー取付けクリップ１０は抜出し力に対して強い抵抗力を発揮する。又、これらのタブ３０は開口３２内でのファスナー取付けクリップ１０の位置の安定化にも寄与する。
【００１７】
ファスナー取付けクリップ１０は図３に示すように、保持アーム２２の上端２４と支持タブ３０との間に間隔Ｄを保ち、この間隔Ｄは該クリップ１０が用いられるシート状材料の厚さにおおむね等しい寸法となっている。この間隔Ｄと支持タブ３０の弾性が当接する面の不均一性を補償するとともに、これによりファスナー取付けクリップ１０が開口３２内に挿入された後、支持タブ３０と保持アーム２２の上端との間に確実かつ好適にピッタリと挟持されてその位置に確実に保持される。
【００１８】
図３，４はファスナー取付けクリップ１０の側面図が示されているが、これらの図で分かるように、保持アーム２２及びガイドアーム１８が平坦面１２の下方に延出ないし垂下し、これらの角度が平坦面１２に対して鈍角をなしている。すなわち、ここにおける鈍角をなす構成は、各一対のアーム２２，１８の外側面と平坦面１２との間の角度が鈍角をなすことを意味し、それらの対応する下端部が互いに近づく態様である。この鈍角の角度範囲は、９０度〜１２０度である。最も望ましい鈍角は、９５度〜１０５度の範囲であるが、これを外れる角度も本発明に含まれるものである。
【００１９】
図５〜８，８Ａには、上述した実施例のシート状材料にて形成されたファスナー取付けクリップ１０の第１の変形例をなすファスナー取付けクリップ１０’が示されている。このクリップ１０’をシート状材料３１に形成された開口３２内に設置する前に、ネジ付きファスナー（図示せず）を該クリップ１０’に挿入することができる。特に図８Ａに示すように、保持用くさび部６０が該クリップ１０’に形成されており、これが開口３２の角隅部３６のところにおいて該シート状金属材料３１の下面ないし下側部３７と係合する。
【００２０】
特に図５に示すように、このファスナー取付けクリップ１０’はＵ字形の保持部５０及びＵ字形の担持部６４を有する。このＵ字形保持部５０は中央に開口ないし孔５４を有するＵ字形のベース部５２を有する。このベース部５２から上方向に一対ないし２つのバネアーム５６が対向状態で延出し、各バネアーム５６はＵ字形の切欠５８を有する。この切欠５８はバネアーム５６の外側エッジに沿って延出する２つの保持用くさび部６０の間に形成されている。各保持用くさび部６０は、Ｕ字形のベース部５２近傍にテーパ端部を有する。Ｕ字形の保持部５０のベース部５２には、後述する目的のために開口ないし孔５４近傍に配置された少なくとも１つのタブ８０を備えるのが望ましい。
【００２１】
Ｕ字形の担持部６４はＵ字形の保持部５０と補完状態で係合する寸法に設定されており、Ｕ字形保持部５０のＵ字形ベース部５２がＵ字形担持部６４のベース部６６内に着座した状態となっている。
【００２２】
担持部６４のベース部６６から上方に向かって円筒状のナットベース部６８が突出し、該ナットベース部６８は、Ｕ字形の保持部５０のベース部５２に形成された開口ないし孔５４に受入れられて、それを貫通する寸法となっている。このナットベース部６８はネジ孔を有し、ここに対応するファスナー（図示せず）がネジ込みにより固定される。
【００２３】
上述のように、Ｕ字形の保持部５０のベース部５２の開口ないし孔５４のところに設けられた少なくとも１つのタブ８０は担持部６４を保持部５０に固定する安定化用タブの役目を果す。この安定化用タブ８０は本発明の第１の変形例に係るファスナー取付けクリップ１０’の組立てに際してＵ字形担持部６４のナットベース部６８を保持して位置の安定化作用を果す。
【００２４】
Ｕ字形の担持部６４は、逆Ｌ字形に互いに反対方向に延出した一対のアーム７０を有し、各アーム７０はボディ部７２とベース部７４とを有する。これら両逆Ｌ字形アーム７０のボディ部７２は担持部６４のベース部６６から上方へ延出し、他方、両ベース部７４は担持部６４のベース部６６から相互に反対方向外方へ翼状に延出する。
【００２５】
逆Ｌ字形アーム７０のボディ部７２は、それぞれ左右両側に切欠７６を有し、これによってボディ部７２はＩビームの形状をなす。この両側の切欠７６は、該クリップ１０’の組立て後にバネアーム５６の保持用くさび部６０と拘束状態に係合する寸法に設定されている。このようにして、Ｕ字形の保持部５０及び担持部６４が本発明の第１の変形例をなすファスナー取付けクリップ１０’を構成している。
【００２６】
図８Ａに示すように、ファスナー取付けクリップ１０’はシート状材料３１に形成された開口３２内に受入れられ、その際、くさび部６０が圧縮されるように変形して該クリップ１０’の開口内への挿入を許容するとともに挿入後、外方へ弾性変形してシート状材料３１の下面ないし底部５７に当接する。これら、くさび部６０は、その上端に湾曲したエッジ８２を有し、該クリップ１０’が開口３２内に正しく位置づけられたとき、これらエッジ８２が開口３２の角隅部３６の部位に対応する。
【００２７】
又、該ファスナー取付けクリップ１０’が適正に挿入されると、シート状材料３１の上面３９に対し逆Ｌ字形アーム７０のベース部７４が当接する。保持用くさび部６０の上面とアーム７０のベース部７４との間には、間隔Ｄ’が存在するが、シート状材料３１の厚さは、おおむね間隔Ｄ’に等しいので、シート状材料３１は、この間にぴったりと位置づけられる。逆Ｌ字形アーム７０のベース部７４は弾性を有しているので、該クリップ１０’が使用されるシート状材料３１の厚さが不均一であってもこれを許容して適正に保持される。
【００２８】
ファスナー取付けクリップ１０’はバネ鋼、アルミニウム又は銅などの金属材料により形成されるのが望ましい。しかし、その他の材料、例えば弾性のある硬質プラスチック材料も目的に沿って使用可能である。
【００２９】
図９〜１１には、本発明の実施例の第２の変形例をなすファスナー取付けクリップ１１０のアセンブリが示されている。これは、第１の変形例のファスナー取付けクリップ１０’と類似した構成である。特に、図１０，１１に示すように、該クリップ１１０のアセンブリは、保持部材１５０と担持部材１６４を有する。保持部材１５０は第１の変形例の保持部５０と同様の構成であるが、ここに示すくさび部１６０は第１の変形例のくさび部６０よりも若干大きなサイズとなっている。
【００３０】
図１０，１１に示すように、担持部材１６４は対向した一対のアーム１７０と壁１６８とを有し、該壁１６８はベース部１６６から延出している。アーム１７０は、下側アングル部１７２と中央部１７４及びＬ字形上側部１７６よりなり、該上側部１７６はシート状材料の上面に係合する。中央部１７４上にはナットベース１６４が形成され、該ナットベース１６４は担持部材１６４に形成された開口ないし穴に挿通される。壁１６８は下側アングル部１８０と上側部１８４とを有し、その上側部の両側には、上述のようにくさび部１６０を受入れる間隙１８６が形成されている。アーム１７０の中央部１７４と壁１６８の上側部１８４は該クリップ１１０のアセンブリを配置するために開口３２のエッジに当接する。担持部材１６４の壁１６８の下側部分とアーム１７０の下側アングル部１７２は外方向に折曲しており、クリップ１１０を開口３２に挿入する際に該クリップ１１０のアセンブリを案内する。担持部材１６４は、くさび部１６０が間隙１８６を通って壁１６８内で延出する構成を除いて、上述と同様に保持部材１５０に取付けられている。このクリップ１１０のアセンブリの配置態様及び動作は、上述した本発明の第１の変形例と同様である。
【００３１】
図１２〜１５には、本発明に係る第３の変形例のファスナー取付けクリップ２１０が示されている。上述の変形例と同様に、該クリップ２１０は２つの部片、すなわち担持部材２６４と保持部材２５０より構成されている。図１３に示すように、保持部材２５０は、おおむね矩形状の下側中央部２５２を有し、ここに担持部材２６４に設けられたナットベース６８を受入れる開口２５４が形成されている。下側中央部２５２の対向する両側から上方向に一対の保持アーム２２２が延出している。このアーム２２２のＬ字状をなす上側部２５６は、図１５で示すようにシート状材料３１の上面３９と係合する。下側中央部２５２の対向する他方の対をなす側部から上方向に一対の側壁２５８が延出している。各側壁２５８は、上述のようにシート状金属材料３１の下面３７と係合する一対のくさび部２６２の間で延出する中央起立部２６０を有する。
【００３２】
図１３，１５に示すように、担持部材２６４はナットベース６８を備えた矩形状の中央部２６６と一対のガイドアーム２６及び一対の上側アーム２７０とを有する。ガイドアーム２６８は中央部２６６の対向する両側部から角度をもって下方へ延出ないし垂下している。ガイドアーム２６８は截頭形のＶ字形をなし該クリップ２１０を開口内へと案内する。対をなす上側アーム２７０は、中央部２６６の他方の対向する両側部から延出している。これら上側アーム２７０はＬ字形をなすとともに開口の上側部と接触する先端部２７２を有する。これらアーム２７０の下部は、クリップ２１０を開口内に位置づけるために該開口の幅に等しい間隔をもって離間している。
【００３３】
図１４に示すように、保持部材２５０は、開口ないし穴２５４に挿通されて上方へ延出するナットベース６８を備えた担持部材２６４の一対のアーム２７０の間に受入れられる。該クリップ２１０の挿入に際して、担持部材２６４と保持部材２５０のアーム２７０の部分は外方向に延出しシート状材料の上部に接触する。保持部材２５０のくさび部２６８は、挿入後、外方向に弾性変形し、シート状材料の開口の角隅部のところで該シート状材料の下面に対して該クリップ２１０を保持する。保持部材２５０のアーム２２２及び担持部材２６４のくさび部２６８とアーム２７０は、該クリップ２１０がシート状材料の開口に対して位置ずれを生じないように保持する。
【００３４】
図１６〜１８には本発明に係る追加実施例のファスナー取付けクリップ３１０が示されている。このクリップ３１０は、バネ鋼、アルミニウム、すず、銅などの単一の金属シート状材料より形成され、シート状材料３３１の開口３３２に挿着される構成である。但し、このクリップ３１０の材料としては、本発明の目的にかなうものであれば、弾性をもった硬質プラスチック等の他の材料も使用可能である。
【００３５】
該ファスナー取付けクリップ３１０は、直線状に形成された平坦面３１２を有する。すなわち、該平坦面３１２は直線状の輪郭で囲まれた矩形状をなす。しかし、これ以外の形状のものも本発明に含まれる。
【００３６】
平坦面３１２には、その中央部にナットベース３１４が形成され、そこに対応する外形を有するファスナー３００を受入れ可能となっている。ナットベース３１４は、そこに受入れられた慣用のファスナー３００を固定するためのネジ付き穴等の係合手段が設けられている。
【００３７】
平坦面３１２の外側エッジ３１６には、一対ないし２つの保持アーム３２２が一体に形成されている。これら保持アーム３２２は平坦面３１２より折曲されて下方に延出ないしは垂下している。又、これら保持アーム３２２は内側パネル３９０と外側パネル３９２を一体に有して長いループ状をなし、このアーム３２２の実質的な最端部として上端３２４及び底部端３２６がある。これら保持アーム３２２は、該クリップ３１０がシート状材料３３１の開口３３２に挿入される際に圧縮されるとともに挿入後に拡張するように弾性変形する。そして、ファスナー取付けクリップ３１０が開口３３２内に十分に挿入されたときに、保持アーム３２２の上端３２４がシート状材料３３１の下面ないし底面に当接する。ここにおいて、保持アーム３２２の上端３２４は、開口３３２の角隅部３３６の間の周辺エッジ３３８の下方に位置する。開口３３２の角隅部３３６は、この周辺エッジ３３８よりも、曲げに対してより強い抵抗力を示す。従って、該クリップ３１０に対して引抜き力が作用したとき、該角隅部３３６との係合により、引抜力に対して、より強い抵抗力が発揮される。これら保持アーム３２２は打出し成形等により「Ｖ」字形に形成されたフック３１８を外側パネル３９２に一体に有し、このフック３１８は内側パネル３９０に打抜き成形等により形成された窓穴３１９の支持エッジ３２０に重なるようになっている。クリップ３１０に対して引抜き力が作用すると、その上方向への力が保持アーム３２２の内側パネル３９０をシート状材料３３１と相対的に押し上げようとするが、他方、外側パネル３９２は上端３２４とシート状材料３３１の下面ないし底面との係合により上方向への移動が拘束される。従って、Ｕ字形をなす底部端３２６が変形する恐れがある。しかし、フック３１８が支持エッジ３２０と係合し、引抜き力の一部を内側パネル３９０に直接伝達して底部端３２６上にかかる応力を軽減する。
【００３８】
平坦面３１２の外側エッジ３１６から外方に向かって一対ないし２つの支持タブ３３０が突出している。これらタブ３３０は平坦面３１２の対向する両側にあって相互のなす角度は１８０度、すなわち直径方向に沿っている。そして、これら支持タブ３３０は、該ファスナー取付けクリップ３１０がシート状材料３３１の開口３３２内に十分に挿入されたとき、該シート状材料３３１の上面に当接するようになっている。これによって、ファスナー取付けクリップ３１０は該開口内に確実に保持され、この保持状態において、保持アーム３２２の上端３２４がシート状材料３３１の開口の角隅部の近傍において、その下面に当接するとともに、支持タブ３３０がシート状材料３３１の上面に当接する。従って、この状態において該クリップ３１０は引抜き力に対して強い抵抗力を発揮する。又、これら支持タブ３３０は、開口３３２内におけるクリップ３１０の位置を安定化させる働きもなす。
【００３９】
保持アーム３２２は更に一対の保持タブ３９４を有し、これらタブ３９４は外側パネル３９２の上端３２４から延出するとともに係合面３９６を有し、その外側パネル３９２からの延出角度は９０度より若干大である。従って、これら保持タブ３９４は該クリップ３１０が開口３３２内へ挿入される間、互いの方向に向かって弾性変形により圧縮される。図１７，１８に示すように、該クリップ３１０が挿入されると，保持タブ３９４は直角状態から若干傾斜した状態に変形して戻り、周辺エッジ３３８の対向する縦面と係合するとともに、該クリップ３１０を開口３３２内において横方向の位置決めをなす。このようにして、ワンピースの単一材料で形成されたクリップ３１０がシート状材料３３１内で開口の各周辺エッジと係合するので、シート状材料３３１に対して直角方向の引抜き力に対する強い抵抗力を発揮するとともに該引抜き力の横方向の成分に対しても強い抵抗力を発揮する。
【００４０】
又、保持タブ３９４は保持アーム３２２の傾斜に対しても抵抗力を発揮するとともにフック３１８と支持エッジ３２０との位置の整合も確実に保つ。図１６に示すように、上端３２４と係合面３９６の間においてタブ３９４にゆるいスロープ３９５が存在する。クリップ３１０の挿入に際して，上端３２４はシート状材料３３１の下面ないし底面の下をスライドし、保持アーム３２２が拡張し始めるのを許容する。しかし、支持タブ３３０がシート状材料３３１の上面に休止すると、周辺エッジ３３８の縦面がタブ３９４のスローブ３９５に係合し、保持アーム３２２の更なる拡張動作が阻止され、クリップ３１０がバネの引張力状態で開口３３２の中央に位置保持される。もし引抜き力がクリップ３１０に作用すると、その上方向の力により保持アーム３２２の外側パネルの上端３２４がシート状材料３３１に対する角度に関して、クリップ３１０から外方へ傾斜して外れる恐れがある。従って、保持タブ３９４の係合面３９６はシート状材料３３１の下面ないし底面より若干上方に位置するように構成されている。これにより、保持タブ３９４の係合面３９６がシート状材料３３１の周辺エッジ３３８の縦方向エッジに係合し、上方向への引抜き力がファスナー上に生じたとき、保持アーム３２２の傾斜を制限するストッパの機能を果す。
【００４１】
上記実施例では、一対ないし２つの保持アーム３２２を採用しているが、本発明のファスナー取付けクリップ３１０は少なくとも１つの保持アームでも動作可能である。但し、これら保持アーム３２２が一対ないし２つあって、それらが実質的に１８０度の角度をなし、直径方向に対向する構成がより望ましい。
【００４２】
このファスナー取付けクリップ３１０は、保持アーム３２２の上端３２４と支持タブ３３０との間に離間した距離を有し、該距離は当該クリップ３１０が適用されるシート状材料の厚さにおおむね等しい。この離間距離及び支持タブ３３０の弾性がシート状材料の表面の不均一性を補償するとともに該シート状材料が、クリップ３１０を開口へ挿入した後、支持タブ３３０と保持アーム３２２の上端３２４との間に確実かつ好適にピッタリと挟持されるよう働く。
【００４３】
以上、本発明に係る実施例、変形例を説明したが、本発明は、シート状材料内に形成された開口ないし穴内にファスナーを確実に取付けるファスナー取付けクリップを提供するものであり、上述した実施例ならびに変形例に限定されず、本発明の目的に沿う更なる変形例等も含み得るものである。尚、本願の発明の特許請求の範囲ならびに明細書本文において、本発明の主題であるファスナー取付けクリップをファスナー・アセンブリ、ファスナー・クリップあるいはファスナー取付けクリップのアセンブリなどと称するところがあるが、これらは実質的に同一の主題を示すものである。
【図面の簡単な説明】
【００４４】
【図１】本発明に係る実施例のファスナー取付けクリップの外観斜視図である。
【図２】図１に示すファスナー取付けクリップの縦断面図である。
【図３】図１に示す保持アームを備えたファスナー取付けクリップの側面図である。
【図４】図１に示すガイドアームを備えたファスナー取付けクリップの他の面より見た側面図である。
【図４Ａ】図１に示すファスナー取付けクリップをシート状材料の開口ないし穴内に挿着した状態を示す平面図である。
【図５】本発明に係る第１の変形例の、２部片のアセンブリよりなるファスナー取付けクリップの外観斜視図である。
【図６】図５に示すファスナー取付けクリップをシート状材料に取付けた態様を示す側面図である。
【図７】図５に示すファスナー取付けクリップの端面図である。
【図８】図５に示すファスナー取付けクリップの平面図である。
【図８Ａ】図５に示すファスナー取付けクリップをシート状材料の開口ないし穴内に挿着した状態を示す平面図である。
【図９】本発明に係る第２の変形例のファスナー取付けクリップの平面図である。
【図１０】図９に示すファスナー取付けクリップの側面図である。
【図１１】図９に示すファスナー取付けクリップの端面図である。
【図１２】本発明に係る第３の変形例のファスナー取付けクリップの外観斜視図である。
【図１３】図１２に示すファスナー取付けクリップの分解斜視図である。
【図１４】図１２に示すファスナー取付けクリップの側面図である。
【図１５】図１４に側面形にて示すファスナー取付けクリップを９０度の角度回転させた方向より、シート状材料に挿着した状態を示す側面図である。
【図１６】本発明に係る更なる実施例のファスナー取付けクリップの外観斜視図である。
【図１７】図１６に示すファスナー取付けクリップをシート状材料の開口ないし穴に挿着した状態を示す斜視図である。
【図１８】図１７に示すファスナー取付けクリップのアセンブリをシート状材料とともに示す部分破断斜視図である。
【図１】
2008542645.tif 000003
【図２】
2008542645.tif 000004
【図３】
2008542645.tif 000005
【図４】
2008542645.tif 000006
【図４Ａ】
2008542645.tif 000007
【図５】
2008542645.tif 000008
【図６】
2008542645.tif 000009
【図７】
2008542645.tif 000010
【図８】
2008542645.tif 000011
【図８Ａ】
2008542645.tif 000012
【図９】
2008542645.tif 000013
【図１０】
2008542645.tif 000014
【図１１】
2008542645.tif 000015
【図１２】
2008542645.tif 000016
【図１３】
2008542645.tif 000017
【図１４】
2008542645.tif 000018
【図１５】
2008542645.tif 000019
【図１６】
2008542645.tif 000020
【図１７】
2008542645.tif 000021
【図１８】
2008542645.tif 000022
【国際調査報告】
2008542645.tif 000023